(57)【要約】      （修正有）【課題】画像の輝度を画像全体で均一にし、目視観察を容易に行える様にした角膜内皮細胞撮影装置を提供する。【解決手段】角膜内皮細胞を撮影する撮像部１９と、表示部と、前記撮像部が撮影した画像を処理して前記表示部に表示させる制御部４９とを具備し、前記撮像部は画素の集合から成る受光素子１７を有し、前記制御部は前記撮像部が撮影した画像について所定画素数毎にブロックとし、各ブロックについて各画素からの出力に基づきブロック平均輝度とブロック標準偏差を演算して輝度調整用係数を求め、画像全体について各画素からの出力に基づき全体平均輝度と全体標準偏差を演算し、画像全体の１画素毎に、各画素が属するブロックの輝度調整用係数と全体平均輝度と全体標準偏差から１画素についての調整輝度値を求め、調整輝度値に基づき各画素の輝度を調整し、画像の平均化処理を行う。【選択図】図１
2014239812.tif 000002
【特許請求の範囲】
【請求項１】
角膜内皮細胞を撮影する撮像部と、表示部と、前記撮像部が撮影した画像を処理して前記表示部に表示させる制御部とを具備し、前記撮像部は画素の集合から成る受光素子を有し、前記制御部は前記撮像部が撮影した画像について所定画素数毎にブロックとし、各ブロックについて各画素からの出力に基づきブロック平均輝度とブロック標準偏差を演算して輝度調整用係数を求め、画像全体について各画素からの出力に基づき全体平均輝度と全体標準偏差を演算し、画像全体の１画素毎に、各画素が属するブロックの輝度調整用係数と全体平均輝度と全体標準偏差から１画素についての調整輝度値を求め、調整輝度値に基づき各画素の輝度を調整し、画像の平均化処理を行うことを特徴とする角膜内皮細胞撮影装置。
【請求項２】
前記撮像部は、オーバラップ部分を有する様に撮像位置の異なる複数の画像を取得し、前記制御部は、各画像毎に平均化処理を行い、平均化処理した画像により前記オーバラップ部分を介してパノラマ画像を合成する請求項１の角膜内皮細胞撮影装置。
【請求項３】
前記制御部は、各画像毎に内皮細胞の細胞壁を検出して該細胞壁を境界線で網掛けした解析画像を作成し、該解析画像と平均化処理した画像を前記表示部に表示する請求項１又は請求項２の角膜内皮細胞撮影装置。
【請求項４】
前記制御部は、前記解析画像と前記平均化処理した画像を前記表示部に、並べ又は重合せて表示する請求項３の角膜内皮細胞撮影装置。
【発明の詳細な説明】
【技術分野】
【０００１】
本発明は角膜の健全性を診断する為の角膜の内皮細胞を撮影する角膜内皮細胞撮影装置に関するものである。
【背景技術】
【０００２】
角膜内皮の測定を行う眼科装置では、角膜内皮画像を取得し、該角膜内皮画像を解析することにより角膜内皮を測定し、内皮細胞の形状や大きさを検出し、或は画像上から内皮細胞の形状や大きさを目視観察可能となっている。
【０００３】
角膜内皮は再生不能な内皮細胞によって形成されており、内皮細胞の健全性は、内皮細胞の大きさ、形状によって診断される。又、内皮細胞の大きさは、内皮細胞の密度によって判定することができ、形状は内皮細胞の面積の変動によって判断できる。
【０００４】
内皮細胞の密度は、画像処理により撮影された画像内の内皮細胞の個数を数え、撮影した範囲と個数により統計値としての内皮細胞の密度が得られる。得られた内皮細胞の密度は、角膜の健全性を診断する場合のデータとして用いられる。
【０００５】
或は、撮影された画像が表示部に表示されることで、内皮細胞の大きさ、形状が目視観察されることで、角膜の健全性が診断されていた。
【０００６】
通常、撮影された画像について、照明の状態、撮影の方向等により、全体が均一な輝度とはならない。特に、画像の周辺部が暗くなる傾向があった（図６参照）。
【０００７】
目視観察は、角膜の健全性を診断する重要な診断方法であるが、画像全体が均一な輝度ではない場合、明暗を考慮した観察と成らざるを得ず、明暗が判断に影響を与える可能性もあった。
【先行技術文献】
【特許文献】
【０００８】
【特許文献１】特開２００７−１３０２４６号公報
【発明の概要】
【発明が解決しようとする課題】
【０００９】
本発明は斯かる実情に鑑み、画像の輝度を画像全体で均一にし、目視観察を容易に行える様にしたものである。
【課題を解決するための手段】
【００１０】
本発明は、角膜内皮細胞を撮影する撮像部と、表示部と、前記撮像部が撮影した画像を処理して前記表示部に表示させる制御部とを具備し、前記撮像部は画素の集合から成る受光素子を有し、前記制御部は前記撮像部が撮影した画像について所定画素数毎にブロックとし、各ブロックについて各画素からの出力に基づきブロック平均輝度とブロック標準偏差を演算して輝度調整用係数を求め、画像全体について各画素からの出力に基づき全体平均輝度と全体標準偏差を演算し、画像全体の１画素毎に、各画素が属するブロックの輝度調整用係数と全体平均輝度と全体標準偏差から１画素についての調整輝度値を求め、調整輝度値に基づき各画素の輝度を調整し、画像の平均化処理を行う角膜内皮細胞撮影装置に係るものである。
【００１１】
又本発明は、前記撮像部が、オーバラップ部分を有する様に撮像位置の異なる複数の画像を取得し、前記制御部は、各画像毎に平均化処理を行い、平均化処理した画像により前記オーバラップ部分を介してパノラマ画像を合成する角膜内皮細胞撮影装置に係るものである。
【００１２】
又本発明は、前記制御部が、各画像毎に内皮細胞の細胞壁を検出して該細胞壁を境界線で網掛けした解析画像を作成し、該解析画像と平均化処理した画像を前記表示部に表示する角膜内皮細胞撮影装置に係るものである。
【００１３】
更に又本発明は、前記制御部が、前記解析画像と前記平均化処理した画像を前記表示部に、並べ又は重合せて表示する角膜内皮細胞撮影装置に係るものである。
【発明の効果】
【００１４】
本発明によれば、角膜内皮細胞を撮影する撮像部と、表示部と、前記撮像部が撮影した画像を処理して前記表示部に表示させる制御部とを具備し、前記撮像部は画素の集合から成る受光素子を有し、前記制御部は前記撮像部が撮影した画像について所定画素数毎にブロックとし、各ブロックについて各画素からの出力に基づきブロック平均輝度とブロック標準偏差を演算して輝度調整用係数を求め、画像全体について各画素からの出力に基づき全体平均輝度と全体標準偏差を演算し、画像全体の１画素毎に、各画素が属するブロックの輝度調整用係数と全体平均輝度と全体標準偏差から１画素についての調整輝度値を求め、調整輝度値に基づき各画素の輝度を調整し、画像の平均化処理を行うので、画像の明るさが平均化され、観察が容易となる。
【００１５】
又本発明によれば、前記撮像部が、オーバラップ部分を有する様に撮像位置の異なる複数の画像を取得し、前記制御部は、各画像毎に平均化処理を行い、平均化処理した画像により前記オーバラップ部分を介してパノラマ画像を合成するので、広範囲の画像が、而も明るさが平均化され、観察が容易になり又利便性が向上する。
【００１６】
又本発明によれば、前記制御部が、各画像毎に内皮細胞の細胞壁を検出して該細胞壁を境界線で網掛けした解析画像を作成し、該解析画像と平均化処理した画像を前記表示部に表示するので、明るさが平均化された画像と解析画像とを対比でき、観察が容易になり又利便性が向上する。
【００１７】
更に又本発明によれば、前記制御部が、前記解析画像と前記平均化処理した画像を前記表示部に、並べ又は重合せて表示するので、明るさが平均化された画像と解析画像とを対比でき、観察が容易になり又利便性が向上するという優れた効果を発揮する。
【図面の簡単な説明】
【００１８】
【図１】本発明の実施例に係る角膜内皮細胞撮影装置の概略構成図である。
【図２】該角膜内皮細胞撮影装置に於けるＸＹアライメント投影系、固視投影系を示す概略構成図である。
【図３】前記固視投影系に用いられる固視標の一例である固視光源の説明図である。
【図４】前記角膜内皮細胞撮影装置の制御装置の概略構成図である。
【図５】（Ａ）（Ｂ）（Ｃ）は固視光源の点灯状態を変化させた場合の、視軸と撮影部の光軸の方向、位置との関係を示す説明図である。
【図６】（Ａ）（Ｂ）（Ｃ）はそれぞれ、前記角膜内皮細胞撮影装置で得られる画像を示す図である。
【図７】取得された画像について平均化処理する工程を示すフローチャートである。
【図８】（Ａ）は平均化処理した単一の画像を示す図、（Ｂ）は平均化処理した複数の画像を合成したパノラマ画像である。
【図９】細胞壁検出画像と平均化画像の合成を示すフローチャートである。
【図１０】（Ａ）は、単一画像について細胞壁検出画像と平均化画像との合成を示す図、（Ｂ）はパノラマ画像とした細胞壁検出画像と平均化画像との合成を示す図である。
【発明を実施するための形態】
【００１９】
以下、図面を参照しつつ本発明の実施例を説明する。
【００２０】
先ず、本発明の実施例に係る角膜内皮細胞撮影装置の概略構成について、図１〜図３により説明する。
【００２１】
図１中、Ｅは被検眼、２はＸＹＺの三軸方向に移動可能な装置本体を示している。該装置本体２の内部に、前眼部観察光学系３と、撮影用照明光学系４と、撮影光学系５と、Ｚアライメント投影系６と、Ｚアライメント検出系７とを有している。
【００２２】
更に、図２に示される様に、前記装置本体２の内部にはＸＹアライメント投影系８、固視投影系９が設けられ、ＸＹアライメント検出系１０は前記前眼部観察光学系３と兼用となっている。
【００２３】
更に、構成を説明する。
【００２４】
図１に於いて、前記前眼部観察光学系３は左右の被検眼Ｅに対応して配設され、前記前眼部観察光学系３の主光軸Ｏ１はそれぞれ前記被検眼Ｅの光軸と合致する様に設けられ、前記主光軸Ｏ１は前記被検眼Ｅの角膜の頂点Ｐを通過する様に設定される。
【００２５】
前記主光軸Ｏ１上に被検眼Ｅ側からハーフミラー１５、対物レンズ１６、受光素子１７が設けられ、前記主光軸Ｏ１に対して挿脱可能な遮光板１８が設けられている。前記受光素子１７には、多数の画素（ピクセル）の集合体であるＣＣＤ素子、或はＣＭＯＳセンサが用いられ、又、該受光素子１７は前記対物レンズ１６に関して前記被検眼Ｅの角膜Ｃと共役の位置に配置されている。
【００２６】
前記撮影光学系５及び前記受光素子１７等は撮像部１９を構成し、撮像画像はデジタル画像信号として出力する。
【００２７】
前記遮光板１８は、前眼部観察時には前記主光軸Ｏ１から退避し、且つ、後述の角膜内皮細胞撮影時には光路中に挿入される。
【００２８】
前記撮影用照明光学系４は、前記主光軸Ｏ１に対して所定角度、例えば１７゜〜２２゜のいずれかの角度で傾斜し、前記頂点Ｐを通過する投光光軸Ｏ２を有し、該投光光軸Ｏ２上に被検眼Ｅから離反する位置から撮影用照明光源２１、集光レンズ２２、スリット板２３、ダイクロイックミラー２４、対物レンズ２５が設けられている。
【００２９】
前記撮影用照明光源２１としては、可視光、例えば、緑色光を発する発光ダイオード（ＬＥＤ）が用いられる。前記スリット板２３はスリット孔が穿設されており、前記撮影用照明光源２１から発せられた可視光がスリット光として、照射される。又、前記スリット板２３で形成されるスリット幅は、前記角膜Ｃ表面で反射された反射光と内皮からの反射光とが分離できる幅に制限される。
【００３０】
前記Ｚアライメント投影系６は前記ダイクロイックミラー２４によって分岐される光軸Ｏ３上に光源２６、集光レンズ２７、スリット板２８が設けられている。前記光源２６としては、赤外光を射出する発光ダイオード（ＬＥＤ）が用いられる。
【００３１】
前記ダイクロイックミラー２４は緑色光を透過し、赤外光を反射する様になっている。又、前記スリット板２３及び前記スリット板２８と前記角膜Ｃとは前記対物レンズ２５に関して共役となっている。
【００３２】
前記撮影光学系５は、前記主光軸Ｏ１に対して前記投光光軸Ｏ２に関し対称となっている撮影光軸Ｏ４を有し、該撮影光軸Ｏ４は前記頂点Ｐを透過する。
【００３３】
該撮影光軸Ｏ４上には、前記被検眼Ｅ側から対物レンズ３１、ダイクロイックミラー３２、ミラー３４を有し、前記撮影光軸Ｏ４は前記ミラー３４で偏向され、更に撮影光軸Ｏ４上には焦点調整用のリレーレンズ３５、ミラー３７が設けられ、該ミラー３７で反射された光束は前記受光素子１７に結像される様になっている。前記リレーレンズ３５を通過した撮影光軸Ｏ４には遮蔽板３６が挿脱可能となっている。又、前記ダイクロイックミラー３２は可視光を透過させて赤外光を反射する透過特性を有する。前記リレーレンズ３５は、レンズ駆動機構３９によって光軸方向に移動可能となっている。
【００３４】
前記ダイクロイックミラー３２で反射され偏向される光軸Ｏ５上には受光センサ３８が設けられ、該受光センサ３８と前記角膜Ｃとは前記対物レンズ３１に関し共役となっている。前記ダイクロイックミラー３２は赤外光を反射し、緑色光を透過する光学特性を有しており、前記光源２６で射出され、前記角膜Ｃで反射された赤外光を前記受光センサ３８に導く。前記ダイクロイックミラー３２、前記受光センサ３８は前記Ｚアライメント検出系７を構成する。
【００３５】
前記ハーフミラー１５で分岐された光軸Ｏ６上にはリレーレンズ４１、ダイクロイックミラー４２が設けられ、更に該ダイクロイックミラー４２の通過光軸上には固視光源４３が設けられている。
【００３６】
該固視光源４３は、図３に示される様に、発光素子保持板４４に複数の発光ダイオード（ＬＥＤ）４５が設けられたものである。該ＬＥＤ４５は、前記光軸Ｏ６の通過位置を中心とし、スリット光の幅方向に複数、例えば２個又は３個（図示では３個４５ａ，４５ｂ，４５ｃ）配設され、更に前記光軸Ｏ６の通過位置を中心とした円周上に所定角度ピッチで配設される。図示では、スリット幅方向に３、２つの同心円上に８及び６の前記ＬＥＤ４５が配置された例が示されている。前記複数のＬＥＤ４５は、可視光、例えば緑色光を発光し、個々に独立して点灯可能となっている。
【００３７】
尚、幅方向に設けられた前記ＬＥＤ４５ａ，４５ｂ，４５ｃのピッチは、被検者が前記ＬＥＤ４５ａ，４５ｂ，４５ｃを固視した場合に、前記撮影光学系５を介し前記受光素子１７（撮像部１９）で得られる内皮画像が所要範囲でオーバラップする様に設定される。
【００３８】
前記ダイクロイックミラー４２で反射された光軸上には、リレーレンズ４７、ＸＹアライメント用光源４６が設けられている。該ＸＹアライメント用光源４６には、赤外光を発する発光ダイオードが用いられる。前記リレーレンズ４７、前記ＸＹアライメント用光源４６等は、前記ＸＹアライメント投影系８を構成する。
【００３９】
前記受光センサ３８が受光した結果、及び前記受光素子１７が受光した結果は、アライメント検出部４８で検出され、検出結果は制御部４９に出力される。該制御部４９は検出結果に基づき本体駆動部５２（図４参照）を制御し、前記装置本体２を、ＸＹＺの所要の方向に移動させ、被検眼Ｅと前記装置本体２とのアライメントを実行する。
【００４０】
図４は、角膜内皮細胞撮影装置の制御装置５１の概略を示している。
【００４１】
該制御装置５１は、主に前記撮像部１９、前記固視光源４３、前記アライメント検出部４８、前記制御部４９、前記本体駆動部５２、記憶部５３、表示部５４、操作部５５を具備している。
【００４２】
前記記憶部５３は、データ格納部とプログラム格納部とを有し、前記データ格納部には、前記撮像部１９で取得した画像、測定データ、解析データ等のデータが格納される。又、前記プログラム格納部には、アライメント動作、撮像動作等を制御する制御プログラム、前記表示部５４に画像を表示させ、画像表示を制御する画像表示プログラム、前記撮像部１９で取得した画像を処理化する画像処理プログラム、画像から内皮細胞の密度、角膜の健全性を解析する解析プログラム、前記操作部５５からの入力を制御するインタフェースプログラム等の種々のプログラムが格納されている。
【００４３】
又、前記制御部４９は、前記画像処理プログラムにより画像を処理する画像処理部５０を有している。
【００４４】
前記アライメント検出部４８からアライメント検出結果が入力されると、前記制御部４９は検出結果に基づき前記本体駆動部５２を駆動し、前記装置本体２をアライメントさせる方向に変位させる。又、前記制御部４９は前記撮像部１９及び前記固視光源４３を同期制御し、前記ＬＥＤ４５ａ，４５ｂ，４５ｃの個々の点灯を制御し、合わせて前記撮像部１９による内皮細胞の画像を取得する。
【００４５】
又、前記撮像部１９で取得された画像は前記制御部４９に送出され、所要の画像処理がなされ、前記記憶部５３に格納され、或は前記表示部５４に表示される。前記操作部５５から前記制御部４９に、撮影に必要な条件、撮影開始等の指令が入出力される。
【００４６】
尚、前記ＬＥＤ４５の点灯位置が変ることで、被検者の視軸が移動し、前記撮像部１９（主光軸Ｏ１）に対して被検眼Ｅが相対変位するので、前記撮像部１９による撮影位置が移動する。ここで、前記固視光源４３、前記制御部４９等は、撮影位置変更手段を構成する。
【００４７】
以下、角膜内皮細胞撮影装置の作用について説明する。
【００４８】
先ず、前記光源２６を点灯し、前記角膜Ｃでの反射光を前記受光センサ３８により受光し、該受光センサ３８上での受光位置と基準位置との偏差を求め、該偏差が０になる様にＺ方向に前記装置本体２を変位させる。尚、前記Ｚアライメント投影系６から射出される検出光は、スリット状であるので、前記受光センサ３８はスリット光の幅方向に延びるラインセンサとしてもよい。
【００４９】
Ｚアライメントが完了した後、或はＺアライメントと並行して前記ＸＹアライメント用光源４６から点状の検出光が射出され、前記角膜Ｃで反射され、反射された検出光は前記受光素子１７で受光され、該受光素子１７上での受光位置と基準位置との偏差が求められる。該偏差が０になる様にＸ方向又はＹ方向に前記装置本体２を変位させ、アライメントを実行する。
【００５０】
アライメント完了後、角膜内皮撮影が開始される。
【００５１】
前記固視光源４３の中心に位置する前記ＬＥＤ４５ａ，４５ｂ，４５ｃが所定の時間間隔で１つずつ点灯される。更に、前記撮影用照明光源２１が前記ＬＥＤ４５ａ，４５ｂ，４５ｃの点灯と同期して点灯され、前記スリット板２３を経てスリット光となった照明光が前記角膜Ｃに照射される。
【００５２】
前記ＬＥＤ４５ａ，４５ｂ，４５ｃの一つが点灯されることで、被検者の視軸Ｏ７（図５参照）が点灯された１つ、例えば前記ＬＥＤ４５ａが点灯され、該ＬＥＤ４５ａに固視され、その時の被検眼Ｅの状態での内皮撮影が行われる。
【００５３】
図５（Ａ）は前記視軸Ｏ７が前記ＬＥＤ４５ａに固視されたことで、前記視軸Ｏ７が被検眼Ｅに対する前記撮像部１９の光軸の方向、位置からずれた状態を示している。又図５（Ｂ）は前記ＬＥＤ４５ｂが点灯された時、該ＬＥＤ４５ｂは前記視軸Ｏ７にあるので前記視軸Ｏ７が前記撮像部１９の光軸と合致した状態を示している。又図５（Ｃ）は前記ＬＥＤ４５ｃが点灯された時の前記撮像部１９の光軸に対し、前記視軸Ｏ７は図５（Ａ）とは逆の方向にずれている関係を示している。尚、図中５９は前記撮像部１９の光軸の方向、位置を示す。
【００５４】
点灯する前記ＬＥＤ４５ａ，４５ｂ，４５ｃが変ることで、被検者の固視する方向が前記ＬＥＤ４５ａ，４５ｂ，４５ｃの間隔分（ピッチ分）ずれる。個々に点灯した時の内皮での反射光が前記対物レンズ３１、前記ミラー３４、前記リレーレンズ３５、前記ミラー３７を経て前記受光素子１７に入射する。該受光素子１７からの画像信号を取得し、内皮を撮影する。撮影した画像は、前記ＬＥＤ４５ａ，４５ｂ，４５ｃの１つが点灯して得られる画像であり、且つ点灯毎に取得されたものである。
【００５５】
図６は、取得された画像であり、図６（Ａ）は前記ＬＥＤ４５ａを点灯して取得した画像５７ａ、図６（Ｂ）は前記ＬＥＤ４５ｂを点灯して取得した画像５７ｂ、図６（Ｃ）は前記ＬＥＤ４５ｃを点灯して取得した画像５７ｃを示している。取得された画像は、前記表示部５４に表示される。
【００５６】
上記した様に、前記ＬＥＤ４５ａ，４５ｂ，４５ｃは、スリット光の幅方向に位置がずれており、例えば位置ずれの角度は１．７５゜であり、隣接する画像は幅方向のずれの角度に対応してずれていると共に２０％程度オーバラップする様に前記ＬＥＤ４５ａ，４５ｂ，４５ｃのずれのピッチが設定されている。
【００５７】
図６（Ａ）〜図６（Ｃ）に見らる様に、照明状態、被検眼と角膜内皮細胞撮影装置との関係等から、各画像共に輝度は均一とはなっていない。図６（Ａ）〜図６（Ｃ）では、各画像共に左部分の輝度が高く（明るく）、右部分の輝度が低く（暗く）なっている。
【００５８】
画像中に、明暗があると明暗を考慮した観察となり、作業性が悪くなる。
【００５９】
本実施例では、各画像共に輝度を均一化し、観察を容易にしている。
【００６０】
以下、図７を参照して、画像輝度の均一化処理について説明する。
【００６１】
尚、画像処理の均一化は、前記画像処理部５０に於いて画像処理プログラムを実行することで行われる。画像処理の均一化は、各画像毎に実行される。
【００６２】
ＳＴＥＰ：０１  画像の所定数の画素を１ブロックとして、ブロック毎の輝度調整を行う。又、１ブロックとしては、例えば１０×１０画素とする。尚、１ブロックとして設定する画素数は、１０×１０画素に限らず、取得された画質、平均化処理後の画質、或は画像処理速度等を考慮して設定する。
【００６３】
ブロック毎に、各画素からの出力に基づき平均輝度（ブロック平均輝度）と、輝度値の標準偏差（ブロック標準偏差）を求める。又、平均輝度と標準偏差から輝度調整用係数を求める。ここで、ブロック毎に求める輝度調整用係数は、画素をコントラスト強調する為に乗じる係数と、画素の輝度値を画像全体の平均輝度値に合わせ込む為の係数とを有する。
【００６４】
ＳＴＥＰ：０２  画像全体の画素から平均輝度（全体平均輝度）と輝度値の標準偏差（全体標準偏差）も併せて計算する。
【００６５】
ＳＴＥＰ：０３  ＳＴＥＰ：０１とＳＴＥＰ：０２の工程を全ブロックについて実行する。
【００６６】
ＳＴＥＰ：０４  前記ブロックについてブロック平均輝度、ブロック標準偏差の計算が完了すると、画像全体を１画素毎に走査し、各画素が属するブロックの係数と画像全体の全体平均輝度と全体標準偏差から１画素についての調整輝度値を求める。
【００６７】
ＳＴＥＰ：０５  求めた調整輝度値により画素の輝度を設定する。
【００６８】
ＳＴＥＰ：０６  全ての画素について、求めた調整輝度値により画素の輝度を設定する。
【００６９】
上記ＳＴＥＰ：０１〜ＳＴＥＰ：０６迄の輝度調整処理を行った画像（平均化画像６０）を図８（Ａ）に示す。
【００７０】
図８（Ａ）に示される様に、輝度が全体に平均化されると共に、輝度が平均化されたことで画像全体で、内皮細胞の形状や大きさの認識が容易となった。
【００７１】
図８（Ｂ）は、上記した３の画像をオーバラップ部分を用いて画像処理によって合成した画像（パノラマ画像）である。尚、合成する画像は、前記ＬＥＤ４５ａ，４５ｂ，４５ｃそれぞれの点灯に対応して取得した３枚の画像であってもよく、或は短時間の間にそれぞれ複数枚取得し、解像度のよいものを３枚選んだものであってもよい。複数枚画像を取得した場合は、画像の選択は前記制御部４９に行わせてもよく、或は検者が前記表示部５４に表示された画像に基づき判断してもよい。
【００７２】
合成することで広範囲の内皮細胞の写真が得られる。検者が、パノラマ画像中の内皮細胞の数を数え、更に内皮細胞の密度を求めることで、充分な内皮細胞の数に基づく内皮細胞の密度が得られ、信頼性が高い。
【００７３】
次に、取得した画像から、角膜内皮細胞検出処理、更に画像解析、細胞壁検出画像を作成する。細胞壁検出画像と前記平均化画像６０とを対比、或は合成することで、検者の観察をより容易にすることができる。
【００７４】
図９を参照して、細胞壁検出画像の作成、合成画像の作成について説明する。
【００７５】
画像解析、細胞壁検出画像の作成は、各画像毎に行われる。
【００７６】
ＳＴＥＰ：１１  取得した画像に対して角膜内皮細胞検出処理を行い、細胞の数、内皮細胞の密度等の解析を行うと共に画像から内皮細胞の細胞壁を検出し、該細胞壁を境界線で網掛した細胞壁検出画像を作成する。
【００７７】
ＳＴＥＰ：１２  前記画像に対して平均化処理を行う（ＳＴＥＰ：０１〜ＳＴＥＰ：０６）。
【００７８】
ＳＴＥＰ：１３  細胞壁検出画像と平均化画像６０とを前記表示部５４に表示する。尚、表示の方法としては、並べて対比させて表示する、或は細胞壁検出画像と平均化画像６０とを合成して表示する。又、表示の方法は検者が適宜選択できる様にする。
【００７９】
図１０（Ａ）に細胞壁検出画像と平均化画像６０とを合成した細胞壁合成画像６１を示している。
【００８０】
尚、広範囲で、画像解析、細胞壁検出画像を観察したい場合は、前記３枚の画像の平均化画像６０を合成してパノラマ画像とし、更に細胞壁検出画像を合成（重合せ）する。
【００８１】
図１０（Ｂ）は前記パノラマ画像に細胞壁検出画像を重合せした画像を示している。
【００８２】
尚、内皮細胞の数を数えるのは、前記制御部４９によって実行させてもよい。この場合、数える対称となる内皮細胞は細胞膜が閉じられていることを条件とし、細胞膜が閉じられている内皮細胞を数え、又数えた内皮細胞が占める画素（前記受光素子１７の画素）の数を数えることで面積が算出できる。
【００８３】
取得した画像に基づく診断結果として、前記表示部５４に内皮細胞の密度を表示すると共に該密度を算出した時の内皮細胞の個数を表示する様にすれば、内皮細胞の密度から内皮細胞の健全性が示され、内皮細胞の個数から診断の信頼性が示される。
【００８４】
尚、上記説明では３枚の画像を取得してパノラマ画像を合成したが、２枚でパノラマ画像を合成しても、４枚以上の画像でパノラマ画像を合成してもよい。
【符号の説明】
【００８５】
２              装置本体
３              前眼部観察光学系
４              撮影用照明光学系
５              撮影光学系
９              固視投影系
１７            受光素子
１９            撮像部
２１            撮影用照明光源
２６            光源
４３            固視光源
４５            ＬＥＤ
４９            制御部
５０            画像処理部
５１            制御装置
５２            本体駆動部
５３            記憶部
５５            操作部
５７            画像
６０            平均化画像
【図１】
2014239812.tif 000003
【図２】
2014239812.tif 000004
【図３】
2014239812.tif 000005
【図４】
2014239812.tif 000006
【図５】
2014239812.tif 000007
【図７】
2014239812.tif 000008
【図９】
2014239812.tif 000009
【図６】
2014239812.tif 000010
【図８】
2014239812.tif 000011
【図１０】
2014239812.tif 000012